(57)【要約】【課題】倣い測定制御のための独自のスケーラを搭載することなく、倣い制御を低コストに実現できるような加工装置を提供すること。【解決手段】本発明は、モータへの移動指令を生成する分配器と、前記モータの作動位置を検出する位置検出器と、を備え、前記移動指令に基づいて、前記位置検出器による検出結果が所定の作動位置となるように前記位置検出器による検出結果がフィードバックされながら、対応するモータを制御するモータコントローラと、を備えた加工装置に関する。倣い測定制御時において、加工工具の代わりにプローブセンサが取り付けられ、モータコントローラには、移動指令の入力が遮断される一方、プローブセンサによる測定結果もフィードバックされる。位置検出器による検出結果とプローブセンサによる測定結果とが重畳された情報が、ワークの形状情報として出力される。【選択図】図１
2013217906.tif 000002
【特許請求の範囲】
【請求項１】
モータへの移動指令を生成する分配器と、
前記モータの作動位置を検出する位置検出器と、
を備え、
前記移動指令に基づいて、前記位置検出器による検出結果が所定の作動位置となるように前記位置検出器による検出結果がフィードバックされながら、対応するモータを制御するモータコントローラと、
を備えた加工装置であって、
倣い測定制御時において、加工工具の代わりに、ワークに対する相対的な距離を測定できるプローブセンサが取り付けられるようになっており、
倣い測定制御時において、前記モータコントローラには、前記移動指令の入力が遮断される一方、前記プローブセンサによる測定結果が所定の距離となるように前記プローブセンサによる測定結果もフィードバックされるようになっており、
倣い測定制御時において、前記位置検出器による検出結果と前記プローブセンサによる測定結果とが重畳された情報が、ワークの形状情報として出力されるようになっている
ことを特徴とする加工装置。
【請求項２】
前記モータは、Ｙ軸モータであり、
前記位置検出器は、前記Ｙ軸モータの作動位置を検出するようになっており、
前記モータコントローラは、前記Ｙ軸モータへの移動指令に基づいて、前記位置検出器による検出結果が所定の作動位置となるように前記位置検出器による検出結果がフィードバックされながら、対応する前記Ｙ軸モータを制御するようになっており、
倣い測定制御時において、前記モータコントローラには、前記Ｙ軸モータへの移動指令の入力が遮断される一方、前記プローブセンサによる測定結果が所定の距離となるように前記プローブセンサによる測定結果もフィードバックされるようになっている
ことを特徴とする請求項１に記載の加工装置。
【請求項３】
Ｘ軸方向及び／またはＺ軸方向への移動が継続されることで、倣い測定制御が実施される
ことを特徴とする請求項２に記載の加工装置。
【請求項４】
ワークは、マイクロレンズアレイである
ことを特徴とする請求項１乃至３のいずれかに記載の加工装置。
【請求項５】
ワークは、マイクロレンズアレイを成形するための金型である
ことを特徴とする請求項１乃至３のいずれかに記載の加工装置。
【請求項６】
前記プローブセンサは、Ｈｅ−Ｎｅレーザによる測定機構を有している
ことを特徴とする請求項１乃至５のいずれかに記載の加工装置。
【請求項７】
出力された前記ワークの形状情報に基づいて加工データまたは加工プログラムを補正する加工補正部
を更に備えたことを特徴とする請求項１乃至６のいずれかに記載の加工装置。
【請求項８】
モータへの移動指令を生成する分配器と、
前記モータの作動位置を検出する位置検出器と、
を備え、
前記移動指令に基づいて、前記位置検出器による検出結果が所定の作動位置となるように前記位置検出器による検出結果がフィードバックされながら、対応するモータを制御するモータコントローラと、
を備えた加工装置を用いてワークの倣い測定制御を行う方法であって、
加工工具の代わりに、ワークに対する相対的な距離を測定できるプローブセンサを取り付ける工程と、
前記モータコントローラにおいて、前記移動指令の入力を遮断する一方、前記プローブセンサによる測定結果が所定の距離となるように前記プローブセンサによる測定結果もフィードバックする工程と、
前記位置検出器による検出結果と前記プローブセンサによる測定結果とが重畳された情報を、ワークの形状情報として出力する工程と、
を備えたことを特徴とする方法。
【請求項９】
前記モータは、Ｙ軸モータであり、
前記位置検出器は、前記Ｙ軸モータの作動位置を検出するようになっており、
前記モータコントローラは、前記Ｙ軸モータへの移動指令に基づいて、前記位置検出器による検出結果が所定の作動位置となるように前記位置検出器による検出結果がフィードバックされながら、対応する前記Ｙ軸モータを制御するようになっており、
前記モータコントローラにおいて、遮断される前記移動指令の入力は、前記Ｙ軸モータへの移動指令であり、Ｘ軸方向及び／またはＺ軸方向の相対移動が継続される間において前記プローブセンサによる測定結果が所定の距離となるように、前記プローブセンサによる測定結果がフィードバックされる
ことを特徴とする請求項８に記載の方法。
【発明の詳細な説明】
【技術分野】
【０００１】
本発明は、倣い動作によってワークの形状を測定する機能を有する加工装置に関する。
【背景技術】
【０００２】
従来より、ワークの形状に倣ってプローブを移動させることによって、当該ワークの形状を高精度に測定することが知られている。
【０００３】
従来の倣い制御は、事前に取得済みのワークの設計値に倣うようにプローブの移動軌道を能動制御する一方で、そのような移動制御の間に生じるプローブの変位を受動的に測定することによって、実際のワークの設計値からの「ずれ」を測定するという原理を採用している。
【０００４】
従って、原理上、プローブの変位を受動的に測定する機構を必要とする。このような機構は、一般にスケーラ等と呼ばれている。
【０００５】
例えば、ＷＯ００／５２４１９号公報には、触針式のプローブヘッドを採用したＮＣ加工装置が開示されている。当該装置では、プローブヘッドとワークとの間の接触を保つ倣い制御を実施し、プローブヘッドの接触子の変位を継続的に捕捉することによって、ワークの形状を高精度に測定することができる。特に当該装置では、接触子の変位の測定にレーザ干渉変位計を採用することによって、高精度なワークの倣い測定を実現している。
【先行技術文献】
【特許文献】
【０００６】
【特許文献１】ＷＯ００／５２４１９号公報
【発明の概要】
【発明が解決しようとする課題】
【０００７】
しかしながら、加工装置において倣い制御のための独自のスケーラを搭載することは、コストや設置スペースの観点で好ましくない。
【０００８】
本発明は、以上の知見に基づいて創案されたものである。本発明の目的は、倣い測定制御のための独自のスケーラを搭載することなく、倣い制御を低コストに実現できるような加工装置を提供することにある。
【課題を解決するための手段】
【０００９】
本発明は、モータへの移動指令を生成する分配器と、前記モータの作動位置を検出する位置検出器と、を備え、前記移動指令に基づいて、前記位置検出器による検出結果が所定の作動位置となるように前記位置検出器による検出結果がフィードバックされながら、対応するモータを制御するモータコントローラと、を備えた加工装置であって、倣い測定制御時において、加工工具の代わりに、ワークに対する相対的な距離を測定できるプローブセンサが取り付けられるようになっており、倣い測定制御時において、前記モータコントローラには、前記移動指令の入力が遮断される一方、前記プローブセンサによる測定結果が所定の距離となるように前記プローブセンサによる測定結果もフィードバックされるようになっており、倣い測定制御時において、前記位置検出器による検出結果と前記プローブセンサによる測定結果とが重畳された情報が、ワークの形状情報として出力されるようになっていることを特徴とする加工装置である。
【００１０】
本発明によれば、原理的に、モータの作動位置を検出する位置検出器を、倣い測定制御時のスケーラとして機能させることができるため、倣い測定制御のための独自のスケーラを搭載することなく、倣い測定制御を実施することができる。従って、コストや設置スペースの観点で、非常に有利である。このような構成は、倣い測定制御時にモータコントローラへの移動指令を遮断する、という新しい発想によって可能となったものである。
【００１１】
具体的には、例えば、前記モータは、Ｙ軸モータ（Ｙ軸方向の相対移動を担うモータ）であり、前記位置検出器は、前記Ｙ軸モータの作動位置を検出するようになっており、前記モータコントローラは、前記Ｙ軸モータへの移動指令に基づいて、前記位置検出器による検出結果が所定の作動位置となるように前記位置検出器による検出結果がフィードバックされながら、対応する前記Ｙ軸モータを制御するようになっており、倣い測定制御時において、前記モータコントローラには、前記Ｙ軸モータへの移動指令の入力が遮断される一方、前記プローブセンサによる測定結果が所定の距離となるように前記プローブセンサによる測定結果もフィードバックされるようになっている。この場合、Ｘ軸方向及び／またはＺ軸方向への移動が継続されることで、倣い測定制御が実施される。
【００１２】
本発明は、特に、マイクロレンズアレイを加工する加工装置やマイクロレンズアレイを成形するための金型を加工する加工装置において有効である。マイクロレンズアレイやマイクロレンズアレイを成形するための金型は、加工誤差が大きくなりがちであるため、倣い測定制御のスケーラのストロークを大きくしておく必要があった。本発明によれば、倣い測定制御のスケーラを独自に設ける必要がなく、測定（対応）できる加工誤差の範囲にも原理的な制限がない。
【００１３】
プローブセンサとしては、従来より公知の様々なタイプのものが利用可能である。例えば、マイクロレンズアレイを加工する加工装置やマイクロレンズアレイを成形するための金型を加工する加工装置においては、Ｈｅ−Ｎｅレーザによる測定機構を有するタイプのものが、測定精度の点で好ましい。
【００１４】
また、本発明の加工装置は、出力された前記ワークの形状情報に基づいて加工データまたは加工プログラムを補正する加工補正部を更に備えることが好ましい。高精度に得られたワークの形状情報を加工データや加工プログラムの補正に適用することにより、加工精度を向上させることができる。
【００１５】
あるいは、本発明は、モータへの移動指令を生成する分配器と、前記モータの作動位置を検出する位置検出器と、を備え、前記移動指令に基づいて、前記位置検出器による検出結果が所定の作動位置となるように前記位置検出器による検出結果がフィードバックされながら、対応するモータを制御するモータコントローラと、を備えた加工装置を用いてワークの倣い測定制御を行う方法であって、加工工具の代わりに、ワークに対する相対的な距離を測定できるプローブセンサを取り付ける工程と、前記モータコントローラにおいて、前記移動指令の入力を遮断する一方、前記プローブセンサによる測定結果が所定の距離となるように前記プローブセンサによる測定結果もフィードバックする工程と、前記位置検出器による検出結果と前記プローブセンサによる測定結果とが重畳された情報を、ワークの形状情報として出力する工程と、を備えたことを特徴とする方法である。
【００１６】
具体的には、例えば、前記モータは、Ｙ軸モータであり、前記位置検出器は、前記Ｙ軸モータの作動位置を検出するようになっており、前記モータコントローラは、前記Ｙ軸モータへの移動指令に基づいて、前記位置検出器による検出結果が所定の作動位置となるように前記位置検出器による検出結果がフィードバックされながら、対応する前記Ｙ軸モータを制御するようになっており、前記モータコントローラにおいて、遮断される前記移動指令の入力は、前記Ｙ軸モータへの移動指令であり、Ｘ軸方向及び／またはＺ軸方向の相対移動が継続される間において前記プローブセンサによる測定結果が所定の距離となるように、前記プローブセンサによる測定結果がフィードバックされる。
【発明の効果】
【００１７】
本発明によれば、原理的に、モータの作動位置を検出する位置検出器を、倣い測定制御時のスケーラとして機能させることができるため、倣い測定制御のための独自のスケーラを搭載することなく、倣い測定制御を実施することができる。従って、コストや設置スペースの観点で、非常に有利である。
【図面の簡単な説明】
【００１８】
【図１】本発明の一実施の形態の加工装置の概略ブロック図である。
【図２】プローブセンサのワークへの追従の様子を説明するための概略図である。
【図３】ワーク形状の測定結果に基づく補正加工結果を示すグラフである。
【図４】ワーク形状の測定結果に基づく他の補正加工結果を示すグラフである。
【発明を実施するための形態】
【００１９】
以下に、添付の図面を参照して、本発明の実施の形態を詳細に説明する。
【００２０】
図１（ａ）及び図１（ｂ）は、本発明の一実施の形態の加工装置の概略ブロック図である。本実施の形態の加工装置１０は、位置指令（例えばＧ０１／Ｇ００）を生成する位置指令部１１と、移動解析加減速処理が行われる移動解析加減速処理部１２と、Ｘ、Ｙ、Ｚの各軸（各送り軸）に対応する各モータへの移動指令を生成する分配器（分配処理部）１３と、を備えている。各モータは、本実施の形態では、回転モータである。
【００２１】
各軸のモータ１４には、当該モータ１４の回転位置を検出する位置検出器１５が設けられている。本実施の形態の位置検出器１５は、光学リニアスケールによって構成されている。各軸のモータ１４によって相対移動されるのは、加工制御時においては、所望の加工処理のために取り付けられた加工工具である。
【００２２】
そして、分配器１３からの移動指令に基づいて、位置検出器１５による検出結果が所定の回転位置となるように当該位置検出器１５による検出結果がフィードバックされながら、対応するモータ１４を制御するモータコントローラ１６が設けられている。また、本実施の形態では、モータコントローラ１６とモータ１４との間に、アンプ１７が介在している。
【００２３】
以上のような本実施の形態の加工装置１０は、加工制御時においては、図１（ａ）のように作用する。すなわち、位置指令部１１からの位置指令に基づいて、移動解析加減速処理部１２によって移動解析加減速処理が行われ、分配器１３においてＸ、Ｙ、Ｚの各軸に対応する各モータへの移動指令が生成される。
【００２４】
そして、分配器１３からの移動指令に基づく一方、位置検出器１５による検出結果が所定の回転位置となるように当該位置検出器１５による検出結果がフィードバックされながら、対応するモータ１４がモータコントローラ１６によって制御される。これにより、加工工具によるワークの加工が実現される。
【００２５】
さて、本実施の形態の特徴は、加工制御ではなく、倣い測定制御にある。すなわち、本実施の形態の加工装置１０は、倣い測定制御時においては、加工工具の代わりに、ワークに対する相対的な距離を測定できるプローブセンサ２１が取り付けられるようになっている。
【００２６】
本実施の形態のプローブセンサ２１は、ワークに対する接触を維持する接触子２２と、接触子２２を変位可能な状態で支持する空気軸受２３と、接触子２２の変位量を測定できるヘッド部２４と、を有している（図２参照）。ヘッド部２４は、Ｈｅ−Ｎｅレーザを用いた光ファイバ式レーザ干渉変位計を有しており、０．０３８ｎｍという高精度の分解能を実現している。また、空気軸受２３（エアスライダとも呼ばれる）は、約５０ｍｇｆという低測定力を実現している。
【００２７】
そして、図１（ｂ）のように、当該倣い測定制御時において、モータコントローラ１６には、移動指令の入力が遮断される一方（初期位置への移動までは移動指令が利用される）、プローブセンサ２１による測定結果が所定の距離となるようにプローブセンサ２１による測定結果もフィードバックされるようになっており、位置検出器１５による検出結果とプローブセンサ２１による測定結果とが重畳された情報が、ワークの形状情報として出力されるようになっている。
【００２８】
ここで、図２を参照して、プローブセンサ２１のワークへの追従の様子について説明する。図２は、ワークに対してプローブセンサ２１がＸ軸方向及び／またはＺ軸方向に相対移動する際に（Ｘ軸方向及び／またはＺ軸方向の移動は移動指令に基づいてなされる）、Ｙ軸方向のワーク形状（凹凸）を測定する様子を示している（Ｙ軸方向の移動指令が遮断されている）。
【００２９】
図２に示すように、相対移動の際にワークが凸状に盛り上がっていくと（図２（ａ）→図２（ｂ））、プローブセンサ２１の先端（この場合、接触子２２）の移動軌道がそのような形状に倣わされる。すなわち、プローブセンサ２１の先端が上方に変位する（図２（ｂ））。すると、その変位情報が直ちにモータコントローラ１６にフィードバックされて、Ｙ軸対応のモータにフィードバック指令がかかる。その結果、プローブセンサ２１の全体位置が上方に修正され、プローブセンサ２１の先端（この場合、接触子２２）の位置状態は直ちに中立状態に戻る。逆に、プローブセンサ２１の先端がワークから離れると（図２（ｃ））、プローブセンサ２１の全体位置が下方に修正され、プローブセンサ２１の先端が再びワークに当接する（図２（ｄ））。
【００３０】
この時、位置検出器１５によって検出されるモータの回転位置とプローブセンサ２１の先端位置（残存変位量）とが重畳された情報が、図２（ｂ）＝図２（ｃ）の地点におけるワークの形状情報として出力される。すなわち、Ｙ軸方向の移動指令が遮断されていることにより、位置検出器１５を変位測定のスケーラとして利用することができるのである。
【００３１】
以上のように、本実施の形態によれば、原理的に、モータ１４の回転位置を検出する位置検出器１５を、倣い測定制御時のスケーラとして機能させることができるため、倣い測定制御のための独自のスケーラを搭載することなく、倣い測定制御を実施することができる。従って、コストや設置スペースの観点で、非常に有利である。また、プローブセンサ２１は常に中立状態に戻るようにフィードバック制御されるため、プローブセンサ２１の変位が大きくなることは稀である。従来法では、ある基準（例えば設計値）に対する変位量の測定が継続されるため、プローブセンサ２１の変位が大きくなることも稀ではなく、そのことに起因して測定精度が良くないという問題があったが、本実施の形態によれば、そのような問題が解消される。
【００３２】
また、本実施の形態によれば、加工装置自体において倣い測定制御を実現するため、加工装置外で別途のワーク形状測定器を利用する場合と比較して、ワークを取り外す必要が無い。このため、作業効率が顕著に優れる。これは、測定されたワークの形状データを、補正加工データや補正加工プログラムの生成のために利用する場合において更に顕著である。例えば、加工補正部３０が、測定されたワークの形状データ（ワークの形状情報）に基づいて、加工データないし加工プログラムを補正して補正加工データないし補正加工プログラムを生成する。これにより、加工精度を向上させることができる。
【００３３】
具体的に、本実施の形態による加工装置によってマイクロレンズアレイないしマイクロレンズアレイを成形するための金型を加工した後、倣い測定制御によって形状データを取得し、当該形状データに基づいて加工プログラムを補正した後、再びマイクロレンズアレイないしマイクロレンズアレイを成形するための金型の加工と倣い測定制御とを実施した結果を図３及び図４に示す。これらの図に示す通り、ワークの形状データを高精度に測定することができれば、顕著に有効な加工プログラム補正を実現することができる。
【００３４】
なお、前記実施の形態では、各モータ１４は回転モータであったが、リニアモータであってもよい。この場合、位置検出器１５は、当該リニアモータの移動位置を検出するように構成される。
【符号の説明】
【００３５】
１０  位置指令部
１１  シャンク
１２  移動解析加減速処理部
１３  分配器
１４  モータ
１５  位置検出器
１６  モータコントローラ
１７  アンプ
２１  プローブセンサ
２２  接触子
２３  空気軸受
２４  ヘッド部
３０  加工補正部
【図１】
2013217906.tif 000003
【図２】
2013217906.tif 000004
【図３】
2013217906.tif 000005
【図４】
2013217906.tif 000006